(57)【特許請求の範囲】
【請求項１】
正面パネルと該正面パネルの右側縁に連接した右サイドパネルと該右サイドパネルに連接して正面パネルに離間対面する右背面パネルと該右背面パネルに連接して右サイドパネルに離間対面する右仕切りパネルとで少なくとも囲繞されて物品を収容する右側物品収容部と、前記正面パネルと該正面パネルの左側縁に連接した左サイドパネルと該左サイドパネルに連接して正面パネルに離間対面する左背面パネルと該左背面パネルに連接して右仕切りパネルに接合対面する左仕切りパネルとで少なくとも囲繞されて前記右側物品収容部内の物品と異なる物品を収容する左側物品収容部とを、樹脂フィルムからなる１枚のブランクシートで形成した物品包装箱であって、
前記右側物品収容部と左側物品収容部のいずれか一方から他方への物品の食み出しを制止する物品食み出し制止片が、前記右仕切りパネルと左仕切りパネルの少なくとも一方の正面パネル側側縁に連接されて前記正面パネルに当接し、
前記正面パネルを前記右背面パネルおよび前記左背面パネルから離間する方向に前記正面パネルを形成する樹脂フィルムの弾発的な柔軟性を発揮させて湾曲させると、前記右仕切りパネルと前記左仕切りパネルとが接合状態を保ったまま、前記正面パネルと当接状態にある前記物品食み出し制止片が前記正面パネルから浮き上がって遊離して、前記右側物品収容部と前記左側物品収容部とが一体に連通した状態で前記正面パネルと前記右背面パネルおよび前記左背面パネルとの間が拡開されることを特徴とする物品包装箱。
【請求項２】
前記物品食み出し制止片の突出側側縁が、前記右側物品収容部と左側物品収容部のうち相対的に扁平な物品を収容する方に向けて少なくとも延在していることを特徴とする請求項１記載の物品包装箱。
【請求項３】
前記物品食み出し制止片の仕切りパネル側側縁が、前記右仕切りパネルと左仕切りパネルのうち相対的に扁平な物品を収容する方に連接されていることを特徴とする請求項２記載の物品包装箱。
【請求項４】
前記ブランクシートが、透明であることを特徴とする請求項１乃至請求項３のいずれか一つに記載の物品包装箱。
【発明の詳細な説明】
【技術分野】
【０００１】
本発明は、右側物品収容部と左側物品収容部を１枚のブランクシートで形成した物品包装箱に関するものであって、特に、化粧品、薬品、その関連物品などの２種類の物品を一体に包装する物品包装箱に関するものである。
【背景技術】
【０００２】
従来、物品包装箱として、前板、後板、第１側板、第２側板、間仕切板、連絡板、蓋板及び底板等よりなり、箱内を間仕切板によって２分割した箱に於いて、間仕切板に連設された貼着片を後板に貼着固定し、第１側板の下端に横折曲線を介して下底板、起立板、上底板及び貼着片を順に連設し、下底板、起立板、上底板及び貼着片を２分割された一方の箱内の底部に順に折込むと共に、貼着片を第１側板の内面に貼着して一方の箱内に上底を構成した中仕切カートンが知られている（例えば、特許文献１）。
【０００３】
また、物品包装箱として、２つの収容部のそれぞれが、上方を塞ぐ上面パネル部と、正面を塞ぐ正面パネル部と、外側面を塞ぐ外側面パネル部と、後面を塞ぐ後面パネル部と、内側面を形成する内側面パネル部と、下方を塞ぐ下面パネル部と、収容部を閉じた状態に留めるための上面パネル用差込部と下面パネル用差込部とで構成されて、上方から内容物を取り出し可能な２つの収容部を一体に備える縦長な直方体状の収納箱が知られている（例えば、特許文献２）。
【０００４】
さらに、物品包装箱として、段ボールからなる側壁と、この側壁に連なる対の端壁と、これらの端壁から連なる対の側壁とで角筒を形成し、この角筒内を二室化する仕切壁と、この仕切壁に連なる片を設け、側壁に片を固着した箱が知られている（例えば、特許文献３）。
【先行技術文献】
【特許文献】
【０００５】
【特許文献１】実用新案登録第２５１９３７２号公報（特に、実用新案登録請求の範囲、第１図を参照。）
【特許文献２】特許第５５１６１１１号公報（特に、特許請求の範囲、図１を参照。）
【特許文献３】実開昭５９−１１２７１８号公報（特に、実用新案登録請求の範囲、第１図を参照。）
【発明の概要】
【発明が解決しようとする課題】
【０００６】
しかしながら、上述した特許文献１に記載された中仕切カートンは、間仕切板に連接した貼着片を後板の内面に貼着固定するとともに連絡板を前板の内面に貼着固定して箱内を間仕切板で２分割しているため、この２分割した収納部に対する物品の出し入れが窮屈となり、このような窮屈な物品の出し入れを解消するために物品の外形よりも必要以上に収納部スペースを大きくしなければならず、収納部に対する充填効率が著しく悪くなるという問題があった。
【０００７】
上述した特許文献２に記載された収納箱は、右内側面パネル部に連接した右接合部と左内側面パネル部に連接した左接合部とを正面パネル部の裏面に接着固定して２つの収容部を一体に構成しているため、上述した特許文献１に記載された中仕切カートンと同様に、この２つの収納部に対する物品の出し入れが窮屈となり、このような窮屈な物品の出し入れを解消するために物品の外形よりも必要以上に収納部スペースを大きくしなければならず、収納部に対する充填効率が著しく悪くなるばかりでなく、右内側面パネル部と左内側面パネル部とが単に対面して相互に接着されていないため、２つの収納部における直方体状の形態が崩れやすく、収納部内における物品の収納状態が不安定となるという問題があった。
【０００８】
上述した特許文献３に記載された箱は、仕切壁に連接した突片を側壁の内面に固着するとともに両端壁にそれぞれ連なる対の側壁同士の先端部を重ね合せて固着して２つの収容部を一体に構成しているため、上述した特許文献１に記載された中仕切カートンと同様に、この２つの収納部に対する物品の出し入れが窮屈となり、このような窮屈な物品の出し入れを解消するために物品の外形よりも必要以上に収納部スペースを大きくしなければならないばかりでなく、仕切壁と突片との谷折り形態とこれら以外の山折り形態とを併用する必要があるため、物品包装箱を組み立てる際の折り曲げ加工が厄介なるという問題があった。
【０００９】
そこで、本発明は、前述したような従来技術の問題を解決するものであって、すなわち、本発明の目的は、右側物品収容部と左側物品収容部とを一体に連通させた状態で物品の出し入れが容易であって、右側物品収容部と左側物品収容部に対して相互に異なる物品を整然と仕分けて収容するとともに右側物品収容部と左側物品収容部のいずれか一方から他方への物品の食み出しを制止しつつ、右側物品収容部と左側物品収容部の優れた保形性を発揮する物品包装箱を提供することである。
【課題を解決するための手段】
【００１０】
本請求項１に係る発明は、正面パネルと該正面パネルの右側縁に連接した右サイドパネルと該右サイドパネルに連接して正面パネルに離間対面する右背面パネルと該右背面パネルに連接して右サイドパネルに離間対面する右仕切りパネルとで少なくとも囲繞されて物品を収容する右側物品収容部と、前記正面パネルと該正面パネルの左側縁に連接した左サイドパネルと該左サイドパネルに連接して正面パネルに離間対面する左背面パネルと該左背面パネルに連接して右仕切りパネルに接合対面する左仕切りパネルとで少なくとも囲繞されて前記右側物品収容部内の物品と異なる物品を収容する左側物品収容部とを、樹脂フィルムからなる１枚のブランクシートで形成した物品包装箱であって、前記右側物品収容部と左側物品収容部のいずれか一方から他方への物品の食み出しを制止する物品食み出し制止片が、前記右仕切りパネルと左仕切りパネルの少なくとも一方の正面パネル側側縁に連接されて前記正面パネルに当接し、前記正面パネルを前記右背面パネルおよび前記左背面パネルから離間する方向に前記正面パネルを形成する樹脂フィルムの弾発的な柔軟性を発揮させて湾曲させると、前記右仕切りパネルと前記左仕切りパネルとが接合状態を保ったまま、前記正面パネルと当接状態にある前記物品食み出し制止片が前記正面パネルから浮き上がって遊離して、前記右側物品収容部と前記左側物品収容部とが一体に連通した状態で前記正面パネルと前記右背面パネルおよび前記左背面パネルとの間が拡開されることにより、前述した課題を解決するものである。
【００１１】
本請求項２に係る発明は、請求項１記載の物品包装箱の構成に加えて、前記物品食み出し制止片の突出側側縁が、前記右側物品収容部と左側物品収容部のうち相対的に扁平な物品を収容する方に向けて延在していることにより、前述した課題をさらに解決するものである。
【００１２】
本請求項３に係る発明は、請求項２記載の物品包装箱の構成に加えて、前記物品食み出し制止片の仕切りパネル側側縁が、前記右仕切りパネルと左仕切りパネルのうち相対的に扁平な物品を収容する方に連接されていることにより、前述した課題をさらに解決するものである。
【００１３】
本請求項４に係る発明は、請求項１乃至請求項３のいずれか一つに記載の物品包装箱の構成に加えて、前記ブランクシートが、透明であることにより、前述した課題をさらに解決するものである。
【発明の効果】
【００１４】
本発明の物品包装箱は、正面パネルとこの正面パネルの右側縁に連接した右サイドパネルとこの右サイドパネルに連接して正面パネルに離間対面する右背面パネルとこの右背面パネルに連接して右サイドパネルに離間対面する右仕切りパネルとで少なくとも囲繞されて物品を収容する右側物品収容部と、前記正面パネルとこの正面パネルの左側縁に連接した左サイドパネルとこの左サイドパネルに連接して正面パネルに離間対面する左背面パネルとこの左背面パネルに連接して右仕切りパネルに接合対面する左仕切りパネルとで少なくとも囲繞されて右側物品収容部内の物品と異なる物品を収容する左側物品収容部とを、１枚のブランクシートで形成していることにより、右側物品収容部と左側物品収容部とが、矩形状横断面を呈する収容用空間をそれぞれ構成すると同時に右仕切りパネルと左仕切りパネルとを接合対面させて一体化しているため、右側物品収容部と左側物品収容部が優れた保形性をそれぞれ発揮して相互に異なる物品を整然と仕分けて収容することができるばかりでなく、以下のような特有の効果を奏することができる。
【００１５】
本請求項１に係る発明の物品包装箱によれば、物品食み出し制止片が、右仕切りパネルと左仕切りパネルの少なくとも一方の正面パネル側側縁に連接されて正面パネルに当接し、正面パネルを右背面パネルおよび左背面パネルから離間する方向に正面パネルを形成する樹脂フィルムの弾発的な柔軟性を発揮させて湾曲させると、右仕切りパネルと左仕切りパネルとが接合状態を保ったまま、正面パネルと当接状態にある物品食み出し制止片が正面パネルから浮き上がって遊離して、右側物品収容部と左側物品収容部とが一体に連通した状態で正面パネルと右背面パネルおよび左背面パネルとの間が拡開されることにより、右側物品収容部と左側物品収容部に対して物品を出し入れする際に、右側物品収容部と左側物品収容部とを共通して構成するブランクシートの少なくとも正面パネルが、物品食み出し制止片との当接状態から遊離し、右側物品収容部と左側物品収容部とが一体に連通するため、右側物品収容部と左側物品収容部に対して物品を容易に出し入れすることが可能となり、その結果、従来のような右側物品収容部および左側物品収容部の内部に確保していた物品出し入れのための余分な空隙スペースを大幅に削減して物品の大きさに見合った箱寸法の小型化を達成し、輸送時のガタツキなどに起因する物品の破損を防止することができる。
また、右側物品収容部と左側物品収容部に対して物品を出し入れする際に、正面パネルが、樹脂フィルムに特有の弾発的な柔軟性を発揮して撓み、物品食み出し制止片から浮き上がって遊離し、右側物品収容部と左側物品収容部とを一体に連通して拡開するため、それぞれの物品の取り出し操作をより一段と簡便にすることができる。
【００１６】
そして、物品食み出し制止片が、相互に接合対面して一体化した右仕切りパネルと左仕切りパネルとを正面パネルに対して安定して支持するとともに右側物品収容部と左側物品収容部との正面パネル側を隙間なく仕切るため、右側物品収容部と左側物品収容部のいずれか一方から他方への物品の食み出しを制止することができる。
【００１７】
さらに、物品食み出し制止片が、正面パネルに対して当接して面接触状態となり、この面接触状態が右側物品収容部および左側物品収容部における物品の内部移動時に正面パネルに対する物品食み出し制止片の相対移動を阻止する制動力を惹起させ、右仕切りパネルと左仕切りパネルの不用意な変動を制止するため、右側物品収容部と左側物品収容部の優れた保形性をより一段と発揮することができる。
【００１８】
本請求項２に係る発明の物品包装箱によれば、請求項１に係る発明が奏する効果に加えて、物品食み出し制止片の突出側側縁が、右側物品収容部と左側物品収容部のうち相対的に扁平な物品を収容する方に向けて延在していることにより、異なる物品のうち相対的に食み出し易い扁平な物品を収容する方で正面パネルに対する物品食み出し制止片の相対移動を阻止する制動力を惹起させると同時に物品食み出し制止片の横幅に見合った分だけ相対的に食み出し易い扁平な物品の移動障壁となるため、異なる物品のうち相対的に食み出し易い扁平な物品の食み出しを確実に制止することができる。
【００１９】
本請求項３に係る発明の物品包装箱によれば、請求項２に係る発明が奏する効果に加えて、物品食み出し制止片の仕切りパネル側側縁が、前記右仕切りパネルと左仕切りパネルのうち相対的に扁平な物品を収容する方に連接されていることにより、物品食み出し制止片が、これらの右仕切りパネルと左仕切りパネルのうち相対的に扁平な物品を収容する方に対して物品食み出し制止片の仕切りパネル側側縁で山折りして組み立てられ、このような山折り形態が、右側物品収容部を少なくとも構成する正面パネルと右サイドパネルと右背面パネルと右仕切りパネルとを組み立てる山折り形態、および、左側物品収容部を少なくとも構成する正面パネルと左サイドパネルと左背面パネルと左仕切りパネルとを組み立てる山折り形態と全て同じとなってブランクシートの外表面に配置した山折りのみに統一されるため、物品包装箱を組み立てる際の折り曲げ加工を山折りのみに単純化し、制作負担を大幅に軽減することができる。
【００２０】
本請求項４に係る発明の物品包装箱によれば、請求項１乃至請求項３のいずれか一つに係る発明が奏する効果に加えて、ブランクシートが、透明であることにより、右側物品収容部と左側物品収容部にそれぞれ収容されている物品を透視し易くなるため、たとえば、異なる物品同士をセット販売する際に購買者などが右側物品収容部と左側物品収容部にそれぞれ収容されている物品の形状や色彩などを容易に確認することができるとともに、この透明な樹脂フィルムに各種の物品情報や模様をプリントするなどして美観を向上させることができる。
【図面の簡単な説明】
【００２１】
【図１】本発明の第１実施例である物品包装箱を正面斜め前方から視た概略図。
【図２】本発明の第１実施例である物品包装箱を裏面斜め後方から視た概略図。
【図３】図１に示す物品包装箱の裏面側から視た展開図。
【図４】図１に示す物品包装箱の組立開始時の組み立て動作図。
【図５】右側物品収容部と左側物品収容部の組み立て動作図。
【図６】右側物品収容部と左側物品収容部の組み立て動作図。
【図７】底パネルの組み立て動作図。
【図８】本発明の第１実施例である物品包装箱の組立完成図。
【図９】本発明の第１実施例である物品包装箱で物品の出し入れ状態を示す図。
【図１０】図２の符号２Ａ−２Ａで視た横断面図。
【図１１】図９における符号９Ａ−９Ａで視た横断面図。
【図１２】本発明の第２実施例である物品包装箱を正面斜め前方から視た概略図。
【図１３】本発明における物品食み出し制止片の変形例を説明する図。
【図１４】本発明の第３実施例である物品包装箱を正面斜め前方から視た概略図。
【図１５】本発明の第４実施例である物品包装箱を正面斜め前方から視た概略図。
【図１６】図１５に示す物品包装箱の裏面側から視た展開図。
【図１７】本発明の第５実施例である物品包装箱を正面斜め前方から視た概略図。
【図１８】図１７に示す物品包装箱の裏面側から視た展開図。
【発明を実施するための形態】
【００２２】
本発明は、正面パネルとこの正面パネルの右側縁に連接した右サイドパネルとこの右サイドパネルに連接して正面パネルに離間対面する右背面パネルとこの右背面パネルに連接して右サイドパネルに離間対面する右仕切りパネルとで少なくとも囲繞されて物品を収容する右側物品収容部と、正面パネルとこの正面パネルの左側縁に連接した左サイドパネルとこの左サイドパネルに連接して正面パネルに離間対面する左背面パネルとこの左背面パネルに連接して右仕切りパネルに接合対面する左仕切りパネルとで少なくとも囲繞されて右側物品収容部内の物品と異なる物品を収容する左側物品収容部とを、樹脂フィルムからなる１枚のブランクシートで形成した物品包装箱であって、右側物品収容部と左側物品収容部のいずれか一方から他方への物品の食み出しを制止する物品食み出し制止片が、右仕切りパネルと左仕切りパネルの少なくとも一方の正面パネル側側縁に連接されて正面パネルに当接し、正面パネルを右背面パネルおよび左背面パネルから離間する方向に正面パネルを形成する樹脂フィルムの弾発的な柔軟性を発揮させて湾曲させると、右仕切りパネルと左仕切りパネルとが接合状態を保ったまま、正面パネルと当接状態にある物品食み出し制止片が正面パネルから浮き上がって遊離して、右側物品収容部と左側物品収容部とが一体に連通した状態で正面パネルと右背面パネルおよび左背面パネルとの間が拡開され、右側物品収容部と左側物品収容部に対して相互に異なる物品を整然と仕分けて収容するとともに右側物品収容部と左側物品収容部に対する物品の出し入れが容易であって、右側物品収容部と左側物品収容部のいずれか一方から他方への物品の食み出しを制止し、右側物品収容部と左側物品収容部の優れた保形性を発揮するものであれば、その具体的な実施態様は、如何なるものであっても構わない。
【００２３】
例えば、本発明の物品包装箱で用いるブランクシートの具体的な素材については、右側物品収容部と左側物品収容部とを打ち抜き加工して構成することが可能なポリプロピレン、ポリエチレンテレフタレート、ポリエチレンなどからなる樹脂フィルムであるが、ポリプロピレンからなる樹脂フィルムを用いた場合には、可撓性と強度の観点から特に良い。
さらに、透明な樹脂フィルムを用いた場合には、右側物品収容部と左側物品収容部にそれぞれ収容されている物品を透視し易く、物品の形状や色彩などを容易に確認することができ、しかも、この透明な樹脂フィルムに各種の物品情報や模様をプリントするなどして美観を向上させることができるので、より好ましい。
【００２４】
また、本発明の物品包装箱における右仕切りパネルと左仕切りパネルとの具体的な接合については、双方を両面テープもしくは接着剤で貼り合わせるか、双方を溶着させるか、双方に凹凸を付けて嵌合させるなどにより接合対面した状態にするのが好ましい。
【００２５】
本発明の物品包装箱における物品食み出し制止片の具体的な連接形態については、右仕切りパネルと左仕切りパネルの少なくとも一方の正面パネル側側縁に連接されて右側物品収容部と左側物品収容部のいずれか一方から他方への物品の食み出しを制止することが可能であれば、如何なる連接形態であっても何ら差し支えない。
特に、物品食み出し制止片を右仕切りパネルと左仕切りパネルのうち相対的に扁平な物品を収容する方に連接した場合には、物品食み出し制止片が、物品食み出し制止片の仕切りパネル側側縁で山折りとなり、これ以外のパネル同士と同じ山折りに統一されるため、物品包装箱を組み立てる際の折り曲げ加工が単純化し、制作負担を大幅に軽減することができる。他方、物品食み出し制止片を右仕切りパネルと左仕切りパネルのうち相対的に扁平な物品を収容しない方に連接した場合には、物品食み出し制止片が、物品食み出し制止片の仕切りパネル側側縁で谷折りとなり、これ以外のパネル同士の山折りと混用されるため、物品包装箱を組み立てる際の折り曲げ加工が複雑化するが、右側物品収容部と左側物品収容部の保形性を向上させることができる。
さらに、物品食み出し制止片を仕切りパネル側側縁で扁平な物品を収容しない方に向けて谷折りして延在させた後に扁平な物品を収容する方に向けて折り返して物品食み出し制止片の突出側側縁を延在させた場合には、物品包装箱を組み立てる際の折り曲げ加工が複雑化するが、右側物品収容部と左側物品収容部の保形性をさらに一段と向上させることができる。
【００２６】
本発明の物品包装箱における右側物品収容部と左側物品収容部の具体的な外観形態については、左右で同じ直方体状のものであっても良く、あるいは、左右いずれかがより扁平な縦長な直方体状のもの、左右いずれかがより縦長な直方体状のもの、これらを組み合わせた直方体状のものであっても良い。
【００２７】
なお、本発明の物品包装箱を構成する正面パネル、右サイドパネル、右背面パネル、右仕切りパネル、左サイドパネル、左背面パネル、左仕切りパネル、物品食み出し制止片は、相互に連接する端縁において折罫線を介して山折り、谷折りのいずれかで折り曲げ組み立てられる。
【００２８】
本発明の物品包装箱は、右側物品収容部と左側物品収容部に対して物品を上方から出し入れする、所謂、縦置き状態として使用するものであるが、本発明の物品包装箱を左右いずれかに９０度回動させて部品を横方向から出し入れする、所謂、横置き状態としても使用することができることは言うまでもない。
特に、本発明の物品包装箱が縦長の箱形態となる場合、横置き状態として使用すると、箱強度が向上するばかりでなく、蓋パネルが側方に配置されるため、埃が箱内部に入らないという防塵効果も奏することができる。
【実施例】
【００２９】
以下に、本発明の第１実施例である物品包装箱１００について、図１乃至図１１に基づいて説明する。
ここで、図１は、本発明の第１実施例である物品包装箱を正面斜め前方から視た概略図であり、図２は、本発明の第１実施例である物品包装箱を裏面斜め後方から視た概略図であり、図３は、図１に示す物品包装箱の裏面側から視た展開図であり、図４は、図１に示す物品包装箱の組立開始時の組み立て動作図であり、図５は、右側物品収容部と左側物品収容部の組み立て動作図であり、図６は、右側物品収容部と左側物品収容部の組み立て動作図であり、図７は、底パネルの組み立て動作図であり、図８は、本発明の第１実施例である物品包装箱の組立完成図であり、図９は、本発明の第１実施例である物品包装箱で物品の出し入れ状態を示す図であり、図１０は、図２の符号２Ａ−２Ａで視た横断面図であり、図１１は、図９における符号９Ａ−９Ａで視た横断面図である。
【００３０】
本発明の第１実施例である物品包装箱１００は、図１および図２に示すように、化粧品、薬品、その関連物品などの２種類の物品ＭＲ、ＭＬを正面パネル１１０の背後に形成された右側物品収容部１００Ｒ内と左側物品収容部１００Ｌ内にそれぞれ収容して一体に包装するためのものであって、図３に示すように、１枚のブランクシートとしてポリプロピレンからなる透明な樹脂フィルムを用いたものである。
これにより、右側物品収容部１００Ｒと左側物品収容部１００Ｌにそれぞれ収容されている物品ＭＲ、ＭＬを透視し易くなるため、たとえば、異なる物品ＭＲ、ＭＬ同士をセット販売する際に購買者などが右側物品収容部１００Ｒと左側物品収容部１００Ｌにそれぞれ収容されている物品ＭＲ、ＭＬの形状や色彩などを容易に確認することができるとともに、この透明な樹脂フィルムに各種の物品情報や模様をプリントするなどして美観を向上させることができる。
【００３１】
ここで、本実施例の説明において、「右」、「左」は、組み立てられた物品包装箱１００の正面から見た場合を基準とした場合の「右」、「左」、すなわち、物品包装箱１００の正面パネル１１０からその裏面側の背後に収納される物品を透視したときの「右」、「左」である。
また、本発明の第１実施例である物品包装箱１００の左側物品収容部１００Ｌに収容する物品ＭＬは、具体的には美容液用容器であり、他方、右側物品収容部１００Ｒに収容する物品ＭＲは、具体的には口紅のサンプル品を収容する扁平な矩形状のパレットである。
そして、図１乃至図２の符号Ｈは、正面パネル１１０に設けた吊り下げ用穴である。
【００３２】
すなわち、本発明の第１実施例である物品包装箱１００の右側物品収容部１００Ｒは、図３の展開図および図４乃至図８の組み立て動作図に示すように、正面パネル１１０の右側部分と、この正面パネル１１０の右側縁１１０Ｒに連接して山折りする右サイドパネル１２０Ｒと、この右サイドパネル１２０Ｒに連接して正面パネル１１０に離間対面するまで山折りする右背面パネル１３０Ｒと、この右背面パネル１３０Ｒに連接して右サイドパネル１２０Ｒに離間対面するまで山折りする右仕切りパネル１４０Ｒと、正面パネル１１０の右側下端縁に連接して山折りする右正面側底蓋パネル１５０Ｒと、右サイドパネル１２０Ｒおよび右仕切りパネル１４０Ｒの下端縁にそれぞれ連接して山折りする２つの右サイド側底蓋パネル１６０Ｒ、１６０Ｒと、右背面パネル１３０Ｒの上端縁に連接して山折りする右背面側上蓋パネル１７０Ｒと、右サイドパネル１２０Ｒおよび右仕切りパネル１４０Ｒの上端縁にそれぞれ連接して山折りする２つの右サイド側上蓋パネル１８０Ｒ、１８０Ｒとで囲繞されて、扁平な矩形状のパレットからなる物品ＭＲを収容する。
なお、上記右正面側底蓋パネル１５０Ｒには、右正面側底蓋差し込み片１５０Ｒａが連接され、右背面側上蓋パネル１７０Ｒには、右背面側上蓋差し込み片１７０Ｒａが連接されて、右側物品収容部１００Ｒの上下方向から物品の不用意な抜け出しを制止している。
【００３３】
他方、本発明の第１実施例である物品包装箱１００の左側物品収容部１００Ｌは、図３の展開図および図４乃至図８の組み立て動作図に示すように、正面パネル１１０の左側部分と、この正面パネル１１０の左側縁１１０Ｌに連接して山折りする左サイドパネル１２０Ｌと、この左サイドパネル１２０Ｌに連接して正面パネル１１０に離間対面するまで山折りする左背面パネル１３０Ｌと、この左背面パネル１３０Ｌに連接して左サイドパネル１２０Ｌに離間対面するまで山折りする左仕切りパネル１４０Ｌと、正面パネル１１０の左側下端縁に連接して山折りする左正面側底蓋パネル１５０Ｌと、左サイドパネル１２０Ｌおよび左仕切りパネル１４０Ｌの下端縁にそれぞれ連接して山折りする２つの左サイド側底蓋パネル１６０Ｌ、１６０Ｌと、左背面パネル１３０Ｌの上端縁に連接して山折りする左背面側上蓋パネル１７０Ｌと、左サイドパネル１２０Ｌおよび左仕切りパネル１４０Ｌの上端縁にそれぞれ連接して山折りする２つの左サイド側上蓋パネル１８０Ｌ、１８０Ｌとで囲繞されて、美容液用容器からなる物品ＭＬを収容する。
なお、上記左正面側底蓋パネル１５０Ｌには、左正面側底蓋差し込み片１５０Ｌａが連接され、右背面側上蓋パネル１７０Ｌには、右背面側上蓋差し込み片１７０Ｌａが連接されて、右側物品収容部１００Ｌの上下方向から物品の不用意な抜け出しを制止している。
【００３４】
そして、上述した右仕切りパネル１４０Ｒと左仕切りパネル１４０Ｌとは、双方を接着剤で貼り合わせることにより、相互に接合対面した状態に一体化して、右側物品収容部１００Ｒと左側物品収容部１００Ｌの保形性を確保するとともに相互に異なる物品を整然と仕分けている。
【００３５】
ここで、本実施例の物品包装箱１００では、左側物品収容部１００Ｌに収納した美容液用容器からなる物品ＭＬよりも扁平な矩形状のパレットからなる物品ＭＲを右側物品収容部１００Ｒに収容することを前提に、本実施例の物品包装箱１００において最も特徴とする扁平な矩形状のパレットからなる物品ＭＲの食み出しを制止する物品食み出し制止片１９０について、以下に説明する。
【００３６】
すなわち、本実施例の物品包装箱１００で用いる物品食み出し制止片１９０は、右仕切りパネル１４０Ｒの正面パネル側側縁に連接されて正面パネル１１０に当接している。
これにより、物品食み出し制止片１９０は、正面パネル１１０に対して当接して面接触状態となり、この面接触状態が右側物品収容部１００Ｒおよび左側物品収容部１００Ｌにおける物品ＭＲ、ＭＬの内部移動時に正面パネル１１０に対する物品食み出し制止片１９０の相対移動を阻止する制動力を惹起させ、右仕切りパネル１４０Ｒと左仕切りパネル１４０Ｌの不用意な変動を制止し、相互に接合対面して一体化した右仕切りパネル１４０Ｒと左仕切りパネル１４０Ｌとを正面パネル１１０に対して安定して支持するとともに右側物品収容部１００Ｒと左側物品収容部１００Ｌとの正面パネル１１０側を隙間なく仕切るため、右側物品収容部１００Ｒから左側物品収容部１００Ｌへの扁平な矩形状のパレットからなる物品ＭＲの食み出しを制止するようになっている。
【００３７】
そして、物品食み出し制止片１９０の突出側側縁１９０ａは、扁平な物品ＭＲを収容する右側物品収容部１００Ｒに向けて延在している．
これにより、相対的に食み出し易い扁平な物品ＭＲを収容する左側物品収容部１００Ｒで正面パネル１１０に対する物品食み出し制止片１９０の相対移動を阻止する制動力を惹起させると同時に物品食み出し制止片１９０の横幅に見合った分だけ相対的に食み出し易い扁平な物品ＭＲの移動障壁となっている。
【００３８】
さらに、物品食み出し制止片１９０の仕切りパネル側側縁１９０ｂは、左仕切りパネル１４０Ｒに連接されている。
これにより、物品食み出し制止片１９０が、左仕切りパネル１４０に対して仕切りパネル側側縁１９０ｂで山折りして組み立てられ、このような山折り形態が、右側物品収容部１００Ｒを少なくとも構成する正面パネル１１０と右サイドパネル１２０Ｒと右背面パネル１３０Ｒと右仕切りパネル１４０Ｒとを組み立てる山折り形態、および、左側物品収容部１００Ｌを少なくとも構成する正面パネル１１０と左サイドパネル１２０Ｌと左背面パネル１３０Ｌと左仕切りパネル１４０Ｌとを組み立てる山折り形態と全て同じとなってブランクシートの外表面に配置した山折りのみに統一されるため、物品包装箱１００を組み立てる際の折り曲げ加工を山折りのみに単純化している。
【００３９】
また、本実施例の物品包装箱１００では、右側物品収容部１００Ｒと左側物品収容部１００Ｌに対して２つの異なった物品ＭＲ、ＭＬを出し入れする際に、図１０に示すように、正面パネル１１０が、物品食み出し制止片１９０との当接状態から遊離し、図９および図１１に示すように、右側物品収容部１００Ｒと左側物品収容部１００Ｌとが一体に連通するため、右側物品収容部１００Ｒと左側物品収容部１００Ｌに対して２つの異なった物品ＭＲ、ＭＬを出し入れするようになっている。
【００４０】
しかも、本実施例の物品包装箱１００の場合は、図９に示すように、正面パネル１１０が、ポリプロピレンからなる樹脂フィルムに特有の弾発的な柔軟性を発揮して撓み、物品食み出し制止片１９０から浮き上がって遊離し、右側物品収容部１００Ｒと左側物品収容部１００Ｌとを一体に連通した状態で拡開されるため、右側物品収容部１００Ｒと左側物品収容部１００Ｌに対して２つの異なった物品ＭＲ、ＭＬをさらに出し入れし易くなっている。
なお、図９の符号Ｄは、正面パネル１１０が湾曲することにより、物品食み出し制止片１９０から浮き上がって遊離する拡開幅を示す。
【００４１】
このようにして得られた本発明の第１実施例である物品包装箱１００は、物品食み出し制止片１９０が、左仕切りパネル１４０Ｌの正面パネル側側縁に連接されて正面パネル１１０に当接していることにより、右側物品収容部１００Ｒと左側物品収容部１００Ｌの優れた保形性を発揮するばかりでなく、右側物品収容部１００Ｒと左側物品収容部１００Ｌに対して物品ＭＲ、ＭＬを出し入れする際に、右側物品収容部１００Ｒと左側物品収容部１００Ｌに対して物品ＭＲ、ＭＬを容易に出し入れすることが可能となり、その結果、従来のような右側物品収容部１００Ｒおよび左側物品収容部１００Ｌの内部に確保していた物品出し入れのための余分な空隙スペースを大幅に削減して物品ＭＲ、ＭＬの大きさに見合った箱寸法の小型化を達成し、輸送時のガタツキなどに起因する物品ＭＲ、ＭＬの破損を防止することができる。
【００４２】
そして、物品食み出し制止片１９０が、相互に接合対面して一体化した右仕切りパネル１４０Ｒと左仕切りパネル１４０Ｌとを正面パネル１１０に対して安定して支持するとともに右側物品収容部１００Ｒと左側物品収容部１００Ｌとの正面パネル１１０側を隙間なく仕切り、右側物品収容部１００Ｒから左側物品収容部１００Ｌへの扁平な矩形状のパレットからなる物品ＭＲの食み出しを制止することができる。
【００４３】
さらに、物品食み出し制止片１９０が、正面パネル１１０に対して当接して面接触状態となり、この面接触状態が正面パネル１１０に対する物品食み出し制止片１９０の相対移動を阻止する制動力を惹起させ、右仕切りパネル１４０Ｒと左仕切りパネル１４０Ｌの不用意な変動を制止し、右側物品収容部１００Ｒと左側物品収容部１００Ｌの優れた保形性をより一段と発揮することができるなど、その効果は甚大である。
【００４４】
つぎに、本発明の第２実施例である物品包装箱２００について、図１２に基づいて説明する。
ここで、図１２は、本発明の第２実施例である物品包装箱２００を正面斜め前方から視た概略図である。
本発明の第２実施例である物品包装箱２００は、右側物品収容部２００Ｒと左側物品収容部２００Ｌとを左右で同じ直方体状に形成したものであって、その他の箱構造については、本発明の第１実施例である物品包装箱１００と全く同一であるため、下２桁が共通する２００番台の符号を付すのみとし、詳しい説明を省略する。
【００４５】
このようにして得られた本発明の第２実施例である物品包装箱２００は、本発明の第１実施例である物品包装箱１００と同様に、物品食み出し制止片２９０が、左仕切りパネル２４０Ｌの正面パネル側側縁に連接されて正面パネル２１０に当接していることにより、右側物品収容部２００Ｒと左側物品収容部２００Ｌの優れた保形性を発揮するばかりでなく、右側物品収容部２００Ｒと左側物品収容部２００Ｌに対して物品ＭＲ、ＭＬを出し入れする際に、右側物品収容部２００Ｒと左側物品収容部２００Ｌに対して物品ＭＲ、ＭＬを容易に出し入れすることが可能となり、その結果、従来のような右側物品収容部および左側物品収容部の内部に確保していた物品出し入れのための余分な空隙スペースを大幅に削減して物品ＭＲ、ＭＬの大きさに見合った箱寸法の小型化を達成し、輸送時のガタツキなどに起因する物品ＭＲ、ＭＬの破損を防止することができるなど、その効果は甚大である。
【００４６】
なお、図１４は、本発明の第２実施例である物品包装箱２００で用いた物品食み出し制止片２９０の変形例を説明する図であって、（ａ）は、物品包装箱２００で用いた物品食み出し制止片２９０の拡大図であり、（ｂ）は、左仕切りパネル２４０Ｌの正面パネル側側縁で右側物品収容部２００Ｒと左側物品収容部２００Ｌの双方に２分して連接された物品食み出し制止片２９０Ｒ、２９０Ｌの拡大図であり、（ｃ）は、左仕切りパネル２４０Ｌの正面パネル側側縁で右側物品収容部２００Ｒに向けて谷折りして延在させた後に左側物品収容部２００Ｌに向けて折り返して突出側側縁２９０ａを延在させた物品食み出し制止片２９０Ｌのの拡大図である。
図１４（ｂ）の場合は、物品食み出し制止片２９０Ｒ、２９０Ｌが、物品食み出し制止片２９０Ｒ、２９０Ｌの仕切りパネル側側縁で山折りと谷折りとの２通りとなり、これ以外のパネル同士の山折りと混用されるため、物品包装箱２００を組み立てる際の折り曲げ加工が複雑化するが、右側物品収容部２００Ｒと左側物品収容部２００Ｌの保形性を向上させることができる。
また、図１４（ｃ）の場合には、物品包装箱２００を組み立てる際の折り曲げ加工が複雑化するが、右側物品収容部２００Ｒと左側物品収容部２００Ｌの保形性をさらに一段と向上させることができる。
【００４７】
さらに、本発明の第３実施例である物品包装箱３００について、図１４に基づいて説明する。
ここで、図１４は、本発明の第３実施例である物品包装箱３００を正面斜め前方から視た概略図である。
本発明の第３実施例である物品包装箱３００は、物品食み出し制止片を右仕切りパネル３４０Ｒと左仕切りパネル３４０Ｌの両方に設けたものである。
すなわち、物品食み出し制止片３９０Ｒを右仕切りパネル３４０Ｒに設けるとともに物品食み出し制止片３９０Ｌを左仕切りパネル３４０Ｌに設けたものであって、その他の箱構造については、本発明の第２実施例である物品包装箱２００と全く同一であるため、下２桁が共通する３００番台の符号を付すのみとし、詳しい説明を省略する。
【００４８】
このようにして得られた本発明の第３実施例である物品包装箱３００は、本発明の第２実施例である物品包装箱２００と同様に、物品食み出し制止片３９０が、右仕切りパネル３４０Ｒと左仕切りパネル３４０Ｌの両方の正面パネル側側縁に連接されて正面パネル３１０に当接していることにより、右側物品収容部３００Ｒと左側物品収容部３００Ｌの優れた保形性を発揮するばかりでなく、右側物品収容部３００Ｒと左側物品収容部３００Ｌに対して物品ＭＲ、ＭＬを出し入れする際に、右側物品収容部３００Ｒと左側物品収容部３００Ｌに対して異なった形態の物品ＭＲ、ＭＬであっても容易に出し入れすることができるなど、その効果は甚大である。
【００４９】
さらに、本発明の第４実施例である物品包装箱４００について、図１５および図１６に基づいて説明する。
ここで、本実施例の説明において、「右」、「左」は、組み立てられた物品包装箱４００の正面から見た場合を基準とした場合の「右」、「左」、すなわち、物品包装箱４００の正面パネル４１０からその裏面側の背後に収納される物品を透視したときの「右」、「左」である。
【００５０】
本発明の第４実施例である物品包装箱４００は、図１６に示すように、まず、正面パネル４１０の右側部分と、この正面パネル４１０の右側縁４１０Ｒに連接して山折りする右サイドパネル４２０Ｒと、この右サイドパネル４２０Ｒに連接して正面パネル４１０に離間対面するまで山折りする右背面パネル４３０Ｒと、この右背面パネル４３０Ｒに連接して右サイドパネル４２０Ｒに離間対面するまで山折りする右仕切りパネル４４０Ｒと、この右仕切りパネル４４０Ｒに連接して正面パネル４１０および右背面パネル４３０Ｒに離間対面するまで山折りする前後仕切りパネル４４１Ｒと、この前後仕切りパネル４４１Ｒに連接して右サイドパネル４２０Ｒに接合対面するように谷折りする補強支持パネル４４２Ｒとを備えるとともに、前述した正面パネル４１０の下端縁に連接して山折りする正面側底蓋パネル４５０と、前述した右サイドパネル４２０Ｒの下端縁に連接して山折りする右サイド側底蓋パネル４６０Ｒと、前述した右背面パネル４３０Ｒの上端縁に連接して山折りする右背面側上蓋パネル４７０Ｒと、この右背面側上蓋パネル４７０Ｒの上端縁に連接して山折りする右背面側上蓋差し込み片４７０Ｒａと、この右背面側上蓋差し込み片４７０Ｒａの上端縁に連接して谷折りする物品係止片４７０Ｒｂと、前述した右サイドパネル４２０Ｒおよび右仕切りパネル４４０Ｒの上端縁にそれぞれ連接して山折りする２つの右サイド側上蓋パネル４８０Ｒ、４８０Ｒとを備えている。
これにより、本発明の第４実施例である物品包装箱４００は、図１５に示すように、前後仕切りパネル４４１Ｒが、右側物品収容部４００Ｒをその前後で２区画に仕切って右前側物品収容部４００Ｒｆと右後側物品収容部４００Ｒｒを構成している。
【００５１】
他方、本発明の第４実施例である物品包装箱４００は、図１６に示すように、正面パネル４１０の左側部分と、この正面パネル４１０の左側縁４１０Ｌに連接して山折りする左サイドパネル４２０Ｌと、この左サイドパネル４２０Ｌに連接して正面パネル４１０に離間対面するまで山折りする左背面パネル４３０Ｌと、この左背面パネル４３０Ｌに連接して左サイドパネル４２０Ｌに離間対面するまで山折りする左仕切りパネル４４０Ｌと、この左仕切りパネル４４０Ｌの正面パネル側側縁に連接して正面パネル４１０に当接まで谷折りする物品食み出し制止片４９０とを備えるとともに、前述した正面パネル４１０の下端縁に連接して山折りする正面側底蓋パネル４５０と、前述した左サイドパネル４２０Ｌの下端縁に連接して山折りする左サイド側底蓋パネル４６０Ｌと、前述した左背面パネル４３０Ｌの上端縁に連接して山折りする左背面側上蓋パネル４７０Ｌと、この左背面側上蓋パネル４７０Ｌの上端縁に連接して山折りする左背面側上蓋差し込み片４７０Ｌａと、前述した右サイドパネル４２０Ｌおよび右仕切りパネル４４０Ｌの上端縁にそれぞれ連接して山折りする２つの右サイド側上蓋パネル４８０Ｌ、４８０Ｌとを備えている。
これにより、本発明の第４実施例である物品包装箱４００は、図１５に示すように、左側物品収容部４００Ｌが構成され、物品食み出し制止片４９０が正面パネル４１０に対して当接して面接触状態となり、この面接触状態が右前側物品収容部４００Ｒｆおよび左側物品収容部４００Ｌにおける物品ＭＲ、ＭＬの内部移動時に正面パネル４１０に対する物品食み出し制止片４９０の相対移動を阻止する制動力を惹起させ、左仕切りパネル４４０Ｌの不用意な変動を制止し、相互に接合対面して一体化した右仕切りパネル４４０Ｒと左仕切りパネル４４０Ｌとを正面パネル４１０に対して安定して支持するとともに右前側物品収容部４００Ｒｆと左側物品収容部４００Ｌとの正面パネル４１０側を隙間なく仕切っている。
【００５２】
このようにして得られた本発明の第４実施例である物品包装箱４００は、右前側物品収容部４００Ｒｆから左側物品収容部４００Ｌへの扁平な矩形状のパレットからなる物品ＭＲの食み出しを制止することができるとともに、右前側物品収容部４００Ｒｆと右後側物品収容部４００Ｒｒの２区画に異なった形態の物品を容易に出し入れすることができるなど、その効果は甚大である。
【００５３】
さらに、本発明の第５実施例である物品包装箱５００について、図１７および図１８に基づいて説明する。
ここで、本実施例の説明において、「右」、「左」は、組み立てられた物品包装箱５００の正面から見た場合を基準とした場合の「右」、「左」、すなわち、物品包装箱５００の正面パネル５１０からその裏面側の背後に収納される物品を透視したときの「右」、「左」である。
【００５４】
本発明の第５実施例である物品包装箱５００は、図１８に示すように、右仕切りパネル５４０Ｒに連接して正面パネル５１０および右背面パネル５３０Ｒに離間対面するまで山折りする前後仕切りパネル５４１Ｒと、この前後仕切りパネル５４１Ｒに連接して右サイドパネル５２０Ｒに接合対面するように谷折りする補強支持パネル５４２Ｒとを備えるとともに、この前後仕切りパネル５４１Ｒの一部を切り欠いて切欠き部５４１Ｒａを補強支持パネル５４２Ｒと一体に設けたものであって、その他の箱構造については、本発明の第４実施例である物品包装箱４００と全く同一であるため、下２桁が共通する５００番台の符号を付すのみとし、詳しい説明を省略する。
【００５５】
このようにして得られた本発明の第５実施例である物品包装箱５００は、本発明の第４実施例である物品包装箱４００と同様に、右前側物品収容部５００Ｒｆから左側物品収容部５００Ｌへの扁平な矩形状のパレットからなる物品の食み出しを制止することができるとともに、図１７に示すように、前後仕切りパネル５４１Ｒによって仕切られた右前側物品収容部５００Ｒｆと右後側物品収容部５００Ｒｒの２区画に異なった形態の物品を容易に出し入れすることができるなど、その効果は甚大である。
【符号の説明】
【００５６】
１００    ，２００    ，３００    ，４００    ，５００    ・・・物品包装箱
１００Ｒ  ，２００Ｒ  ，３００Ｒ  ・・・右側物品収容部
４００Ｒｆ，５００Ｒｆ・・・右前側物品収容部
４００Ｒｒ，５００Ｒｒ・・・右後側物品収容部
１００Ｌ  ，２００Ｌ  ，３００Ｌ  ，４００Ｌ  ，５００Ｌ・・・左側物品収容部
１１０    ，２１０    ，３１０    ，４１０    ，５１０・・・正面パネル
１１０Ｒ  ・・・正面パネルの右側縁
１１０Ｌ  ・・・正面パネルの左側縁
１２０Ｒ  ，２２０Ｒ  ，３２０Ｒ  ，４２０Ｒ  ，５２０Ｒ・・・右サイドパネル
１２０Ｌ  ，２２０Ｌ  ，３２０Ｌ  ，４２０Ｌ  ，５２０Ｌ・・・左サイドパネル
１３０Ｒ  ，２３０Ｒ  ，３３０Ｒ  ，４３０Ｒ  ，５３０Ｒ・・・右背面パネル
１３０Ｌ  ，２３０Ｌ  ，３３０Ｌ  ，４３０Ｌ  ，５３０Ｌ・・・左背面パネル
１４０Ｒ  ，２４０Ｒ  ，３４０Ｒ  ，４４０Ｒ  ，５４０Ｒ・・・右仕切りパネル
１４０Ｌ  ，２４０Ｌ  ，３４０Ｌ  ，４４０Ｌ  ，５４０Ｌ・・・左仕切りパネル
４４１Ｒ  ，５４１Ｒ  ・・・前後仕切りパネル
５４１Ｒａ・・・切欠き部
４４２Ｒ  ，５４２Ｒ  ・・・補強支持パネル
１５０Ｒ  ・・・右正面側底蓋パネル
１５０Ｒａ・・・右正面側底蓋差し込み片
１５０Ｌ  ・・・左正面側底蓋パネル
１５０Ｌａ・・・左正面側底蓋差し込み片
４５０    ，５５０    ・・・正面側底蓋パネル
４５０ａ  ，５５０ａ  ・・・正面側底蓋差し込み片
１６０Ｒ  ，４６０Ｒ  ，５６０Ｒ・・・右サイド側底蓋パネル
１６０Ｌ  ，４６０Ｌ  ，５６０Ｌ・・・左サイド側底蓋パネル
１７０Ｒ  ，４７０Ｒ  ，５７０Ｒ  ・・・右背面側上蓋パネル
１７０Ｒａ，４７０Ｒａ，５７０Ｒａ・・・右背面側上蓋差し込み片
１７０Ｌ  ，４７０Ｌ  ，５７０Ｌ  ・・・左背面側上蓋パネル
１７０Ｌａ，４７０Ｌａ，５７０Ｌａ・・・左背面側上蓋差し込み片
４７０Ｒｂ  ・・・物品係止片
１８０Ｒ  ，４８０Ｒ  ，５８０Ｒ  ・・・右サイド側上蓋パネル
１８０Ｌ  ，４８０Ｌ  ，５８０Ｌ  ・・・左サイド側上蓋パネル
１９０    ，２９０    ，４９０    ，５９０    ・・・物品食み出し制止片  
１９０ａ  ・・・物品食み出し制止片の突出側側縁
１９０ｂ  ・・・物品食み出し制止片の仕切りパネル側側縁
２９０Ｒ  ，３９０Ｒ  ・・・物品食み出し制止片
２９０Ｌ  ，３９０Ｌ  ・・・物品食み出し制止片
２９０ａ  ・・・物品食み出し制止片の突出側側縁
ＭＲ    ・・・物品
ＭＬ    ・・・扁平な物品
Ｈ      ・・・吊り下げ用穴
Ｄ      ・・・拡開幅
【図１】
0006704696.tif 000002
【図２】
0006704696.tif 000003
【図３】
0006704696.tif 000004
【図４】
0006704696.tif 000005
【図５】
0006704696.tif 000006
【図６】
0006704696.tif 000007
【図７】
0006704696.tif 000008
【図８】
0006704696.tif 000009
【図９】
0006704696.tif 000010
【図１０】
0006704696.tif 000011
【図１１】
0006704696.tif 000012
【図１２】
0006704696.tif 000013
【図１３】
0006704696.tif 000014
【図１４】
0006704696.tif 000015
【図１５】
0006704696.tif 000016
【図１６】
0006704696.tif 000017
【図１７】
0006704696.tif 000018
【図１８】
0006704696.tif 000019